(57)【要約】【課題】  遊技機等の取付対象の多様性に柔軟に対応し、取付対象に特別の設計や製造を要求することなく取り付け可能な錠前、遊技機用錠前、及び錠前用内周回転体連結軸を提供し、設計及び製造の容易化とコストダウンを図る。【解決手段】  取付対象に対して固定状態に取り付けられる外筒体と、該外筒体の内周側に収納され正面から挿入された鍵で枢動回転されて開錠施錠動作を実行可能な内周回転体と、上記内周回転体の枢動回転を常態では係止して上記鍵が挿入されたときに許容する開錠施錠許容手段とを備えた錠前に、正面側端と背面側端との距離が前後方向へ伸縮可能に形成した連結軸を、該内周回転体と連動して回転するように前記内周回転体の背面側に装着した。【選択図】    図１
2005040414.tif 000002
【特許請求の範囲】
【請求項１】
取付対象に対して固定状態に取り付けられる外筒体と、
該外筒体の内周側に収納され正面から挿入された鍵で枢動回転されて開錠施錠動作を実行可能な内周回転体と、
上記内周回転体の枢動回転を常態では係止して上記鍵が挿入されたときに許容する開錠施錠許容手段とを備え、
正面側端と背面側端との距離が前後方向へ伸縮可能に形成した連結軸を、該内周回転体と連動して回転するように前記内周回転体の背面側に装着した
錠前。
【請求項２】
前記外筒体に、該外筒体を前後方向へ移動可能にガイドするガイド体を装着し、
該ガイド体に、当該錠前を取付対象に固定状態に取り付ける取付部を形成した
請求項１記載の錠前。
【請求項３】
前記ガイド体に対する前記外筒体の前後方向への移動位置を適宜の位置で位置決めする位置決め手段を備えた
請求項２記載の錠前。
【請求項４】
前記ガイド体を、前記外筒体の側面周囲を被覆する被覆形状に形成すると共に、少なくとも前記取付対象との接触面を樹脂部材で形成した
請求項２又は３記載の錠前。
【請求項５】
請求項１から４のいずれか１つに記載の錠前の連結軸背面側を、中立位置より１方側での回転操作により遊技機の正面扉の開錠施錠操作を許容し、他方側での回転操作により他の操作を許容する２操作カム体を装着可能に形成した
遊技機用錠前。
【請求項６】
正面から挿入された鍵で内周回転体が枢動回転されて開錠施錠を実行可能な錠前の上記内周回転体に装着する装着部を本体部の正面側端に形成し、
上記本体部を、正面側端と背面側端との距離が前後方向へ伸縮可能に形成した
錠前用内周回転体連結軸。
【発明の詳細な説明】
【技術分野】
【０００１】
この発明は、例えば遊技機の正面の扉や玄関のドア等施錠が必要な部位に取り付けるような錠前に関する。
【背景技術】
【０００２】
従来、様々なタイプの錠前が提供されており、パチンコ機やパチスロ機においても正面扉が係員以外の者に開けられないよう錠前が取り付けられている。
【０００３】
このような遊技機は、提供するメーカや機種によって様々な錠前が取り付けられており、遊技場の店員は複数の鍵を保有し、遊技機に取り付けられた錠前に合った鍵をその都度選択して使用する必要があった。
【０００４】
この問題を解決するために、遊技場で用意した鍵で開錠施錠できるように錠前の設定を変更することができる可変式錠が出願人により提供されている（特許文献１参照）。
【０００５】
【特許文献１】特許第２８９３６１４号公報。
【発明の開示】
【発明が解決しようとする課題】
【０００６】
しかし、上記可変式錠や一般の錠等の錠前を取り付ける遊技機は、メーカや機種によって、錠前の正面（鍵挿入口）が位置する正面扉の正面と、錠前がカム体を介して施錠開錠操作する竿（施錠開錠機構）との距離が異なっている。
【０００７】
このため、上記錠前を取り付けるに際しては、カム体と錠前とを適宜の部材で接続する等、遊技機に錠前を取り付けるための個別設計と接続部材の製造が必要となり、コスト増の原因となっていた。
【０００８】
この発明は、遊技機等の取付対象の多様性に柔軟に対応し、取付対象に特別の設計や製造を要求することなく取り付け可能な錠前、遊技機用錠前、及び錠前用内周回転体連結軸を提供し、設計及び製造の容易化とコストダウンを図ることを目的とする。
【課題を解決するための手段】
【０００９】
この発明は、取付対象に対して固定状態に取り付けられる外筒体と、該外筒体の内周側に収納され正面から挿入された鍵で枢動回転されて開錠施錠動作を実行可能な内周回転体と、上記内周回転体の枢動回転を常態では係止して上記鍵が挿入されたときに枢動回転許容する開錠施錠許容手段とを備え、正面側端と背面側端との距離が前後方向へ伸縮可能に形成した連結軸を、該内周回転体と連動して回転するように前記内周回転体の背面側に装着した錠前であることを特徴とする。
【００１０】
前記取付対象は、パチンコ機やパチスロ機等の遊技機、玄関、又はロッカー等、施錠が必要な物で構成することを含む。
【００１１】
前記外筒体は、円筒形に形成した金属部材等、内周側で内周回転体の枢動回転を許容する筒体で形成することを含む。
【００１２】
前記内周回転体は、前記鍵の正面から背面への挿入を許容する鍵穴と、前記開錠施錠許容手段を該内周回転体の回転軸と直角方向へ挿通する係止用穴とを形成した円柱体等、前記開錠施錠許容手段による枢動回転の可否制御を受けて前記外筒体の内周で枢動回転する回転体で形成することを含む。
【００１３】
前記開錠施錠許容手段は、次の（１）から（３）の例に示すように、開錠施錠の可否を制御する手段で構成することを含む。
【００１４】
（１）前記内周回転体に係止用穴を形成した場合で、該係止用穴を移動可能で前記内周回転体の外周から軸芯方向へ突出する突出ピンと、該突出ピンの外周側に当接した回転係止部材と、該回転係止部材を前記内周回転体の外周から軸芯方向へ付勢するバネ体等の付勢手段とで構成する（ディスクシリンダーやディンプルシリンダー等のシリンダータイプの錠前）。
【００１５】
（２）上記（１）の構成で、さらに上記突出ピンと係止部材の間に設定用スペーサを挟んで構成する（可変式錠）。
【００１６】
（３）前記内周回転体に係止用穴を形成した場合で、上記係止用穴の中を回転せずに挿通可能な多角柱の周面の一部に突起部を設けて構成する（サイドバー方式の錠前）。
【００１７】
前記連結軸は、次の（１）又は（２）の例に示すように、正面側端と背面側端との距離を伸縮可能な軸体で形成することを含む。  
（１）挿通穴の内面に係止溝を形成した軸外周体と、該軸外周体の挿通穴に挿通されて上記係止溝と係合する係止ガイドを備えた軸芯体とで構成し、上記係止ガイドと係止溝の作用で開錠施錠方向に回転しないようにする。  
（２）前後方向に伸縮可能な蛇腹状の管体で構成する。
【００１８】
前記錠前は、ディスクシリンダーやディンプルシリンダー等のシリンダータイプの錠前、可変式錠、又はサイドバー方式の錠前等、様々なタイプの開錠施錠機構を備えた錠前で構成することを含む。
【００１９】
前記構成により、内周回転体とこれに連結するカム体との間を伸縮する伸縮軸で連結することができる。従って、錠前の取り付け正面とカム体との距離を一定にして取付対象を設計せずとも、種々の距離に錠前を容易に対応させて取り付けることが可能となる。
【００２０】
この発明の態様として、前記外筒体に、該外筒体を前後方向へ移動可能にガイドするガイド体を装着し、該ガイド体に、当該錠前を取付対象に固定状態に取り付ける取付部を形成することができる。
【００２１】
前記ガイド体は、前記外筒体の側面周囲を囲繞する外周カバー、又は、前記外筒体に前後方向の穴部を形成して該穴部に挿通するガイド棒体等、前記外筒体の前後方向への移動をガイドする部材で形成することを含む。
【００２２】
前記取付部は、上記外周カバーやガイド棒体等のガイド体に形成したねじ（ビス）穴や装着突起等で構成することを含む。
【００２３】
前記構成により、外筒体を前後方向へ移動可能にガイドして前記連結軸の強度不足を補うことができる。
【００２４】
またこの発明の態様として、前記ガイド体に対する前記外筒体の前後方向への移動位置を適宜の位置で位置決めする位置決め手段を備えることができる。
【００２５】
前記位置決め手段は、ガイド体に形成した穴に挿通して前記外筒体で係止し、ガイド体と外筒体の相対移動を係止する係止片等、ガイド体と外筒体との相対位置を固定する手段で形成することを含む。
【００２６】
前記構成により、外筒体とガイド体とを安定して固定することができ、ガイド体をカム体側に固定するだけで錠前の伸縮サイズ及び取付位置を固定することができる。従って、外筒体を直接固定する必要がなく、取付作業の利便性を向上させることができる。
【００２７】
またこの発明の態様として、前記ガイド体を、前記外筒体の側面周囲を被覆する被覆形状に形成すると共に、少なくとも前記取付対象との接触面を樹脂部材で形成することができる。
【００２８】
これにより、遊技機など静電気に弱い装置に錠前を取り付けた場合に、鍵の接触によって静電気が装置内に流れ込むことを樹脂部材により防止することができる。
【００２９】
またこの発明は、前記錠前の連結軸背面側を、中立位置より１方側での回転操作で遊技機の正面扉の開錠施錠操作を許容し、他方側での回転操作で他の操作を許容する２操作カム体を装着可能に形成した遊技機用錠前とすることができる。  
これにより、錠前の取付サイズの差が大きい遊技機に対して、容易に取り付けることが可能となる。
【００３０】
またこの発明は、正面から挿入された鍵で内周回転体が枢動回転されて開錠施錠を実行可能な錠前の上記内周回転体に装着する装着部を本体部の正面側端に形成し、上記本体部を、正面側端と背面側端との距離が前後方向へ伸縮可能に形成した錠前用内周回転体連結軸とすることができる。
【００３１】
これにより、従来の錠前に錠前用内周回転体連結軸を取り付け、伸縮可能な錠前とすることができる。
【発明の効果】
【００３２】
この発明により、遊技機等の取付対象の多様性に柔軟に対応し、取付対象に特別の設計や製造を要求することなく錠前を取り付けることが可能となり、取付対象の設計及び製造の容易化によるコストダウンを図ることができる。
【発明を実施するための最良の形態】
【００３３】
この発明の一実施形態を以下図面と共に説明する。  
まず、図１に示す正面から見た分解斜視図、及び図２に示す背面から見た分解斜視図と共に、伸縮錠１の構成について説明する。
【００３４】
伸縮錠１は、ガイドカバー（外カバー）１０、スライドカバー（内カバー）３０、鍵本体４０、連結軸２０（図２）、及び化粧板６２で構成する。
【００３５】
前記ガイドカバー１０は、外形を正面視が上下に長い略菱形形状で側面視及び平面視が略長方形である正面開放の容器状体に、プラスチック等の樹脂部材で形成する。
【００３６】
該ガイドカバー１０の底面の左右方向中央には、正面視Ｕ字型に下方へ突出させてその内側が前後方向の溝となるガイド溝１１ｃを形成する。
【００３７】
該ガイド溝１１ｃには、該ガイド溝１１ｃとその左右位置に対して、Ｕ字型に形成したスライド係止片（ストッパ）１３を挿通する係止片挿通穴１２，…を、前後方向へ８つ配設する。
【００３８】
上記スライド係止片１３は、Ｕ字型に形成して両足の先端内側に突起部１３ａ，１３ａを形成する。
【００３９】
前記ガイドカバー１０の平面の左右方向中央には、上記ガイド溝１１ｃと上下対象のガイド溝１１ａ、及び係止片挿通穴１２，…を形成する。
【００４０】
前記ガイドカバー１０の右側面には、正面視コ字型に右方向へ突出させてその内側が前後方向の溝となるガイド溝１１ｄを形成する。  
前記ガイドカバー１０の左側面には、前記ガイド溝１１ｄと左右対称のガイド溝１１ｂを形成する。
【００４１】
前記ガイドカバー１０の背面には、上下にねじ穴１４，１４を形成する。該ガイドカバー１０の背面の中央部は、右側面視コ字型となるように背面視円形に背面側へ突出させて、正面開放の中空ドラム状の突出部１５を形成する。該突出部１５の背面視中央には、連結軸２０を挿通する軸穴１７を形成する。
【００４２】
上記突出部１５の側面には、軸芯係止片（ストッパ）１８を挿入する軸芯係止用穴１６，１６（左側面側は図示省略）を左右対称に形成する。  
上記軸芯係止片１８は、連結軸２０の軸芯体２１の係止リング２１ａを正面側で係止するように正面視コ字型の板状体に形成する。
【００４３】
前記連結軸２０は、樹脂部材で形成した軸芯体２１、軸中間体２２、及び軸外周体２３で構成する。
【００４４】
上記軸芯体２１は、円筒の上下左右周面に４つのガイド片２１ｂを形成した形状、すなわち断面が十字形の柱体形状に本体を形成し、本体の背面側にリング状の係止リング２１ａを形成する。
【００４５】
該係止リング２１ａのさらに背面には、円筒の左右側面を平行に切り落として係合面２１ｅを備えのカム連結突起２１ｄを形成する。
【００４６】
上記軸芯体２１の平面に形成したガイド片２１ｂの正面側上端には、軸中間体２２から抜け落ちるのを防止する抜止突起２１ｃを形成する。
【００４７】
前記軸中間体２２は、本体外形を、円筒形状の外周面に前後方向へ外ガイド溝２２ｂを４つ均等間隔に上下左右の各間位置に設けて形成する。該軸中間体２２の内面は正面視十字状に前後方向へくり抜いた形状に形成し、軸芯体２１のガイド片２１ｂが内ガイド溝２２ｃに係合するようにしている。これにより、前記軸芯体２１が前後方向へ挿通可能で、該軸芯体２１が軸中間体２２に対して側面方向へ回転しないように構成している。
【００４８】
軸中間体２２の背面側平面には、前記軸芯体２１の抜止突起２１ｃと係合して該軸芯体２１を抜け止めする抜止穴２２ａを形成する。  
軸中間体２２の正面側底面には、該軸中間体２２が軸外周体２３から抜け落ちるのを防止する抜止突起２２ｄを形成する。
【００４９】
上記軸外周体２３は、外形形状を、正面側円筒部の半径に対して背面側円筒部の半径を少し小さく形成した２段円筒形状に形成する。該軸外周体２３の外周の段差部分は、スライドカバー３０からの抜け落ちを防止する抜止ガイド２３ａとして機能する。また、軸外周体２３の正面側半分は、円周面の上面を切り落として抜取用平面部２３ｅを形成する。
【００５０】
軸外周体２３の内周面は、正面側を円筒形状に形成し、正面端から少し内側の位置に鍵本体４０の背面から突出しているボス（出力軸）５２の係合面５２ａと嵌合する嵌合突起２３ｂを形成する。これにより、ボス５２が回転すれば軸外周体２３も回転し、ボス５２が空転するといったことが無いようにしている。
【００５１】
軸外周体２３の内周部の背面側は、前記軸中間体２２の外ガイド溝２２ｂと係合する前後方向に長いガイド片２３ｃを、上下左右の各間位置に４つ均等に形成する。
【００５２】
また該軸外周体２３の背面側の底面には、軸中間体２２の抜止突起２２ｄを係止して抜け止めする抜止穴２３ｄを形成する。
【００５３】
この連結軸２０の構成により、軸芯体２１、軸中間体２２及び軸外周体２３の三段構成で、それぞれを繰出し又は収納させて伸縮するすることができる。また、抜止防止手段（抜止突起２１ｃ，抜止穴２２ａ，抜止突起２２ｄ，ガイド片２３ｃ）で抜け落ちを防止することができる。また、空転防止手段（ガイド片２１ｂ，抜止突起２２ｄ，外ガイド溝２２ｂ，嵌合突起２３ｂ）により軸芯体２１、軸中間体２２及び軸外周体２３が一体として回転し、回転力を確実に伝達することができる。
【００５４】
前記スライドカバー３０は、外形を前記ガイドカバー１０より一回り小さいサイズで、前記ガイドカバー１０に近い外形形状に形成する。すなわち、正面視が上下に長い略菱形形状で側面視及び平面視が略長方形である正面開放の筒状体に、プラスチック等の樹脂部材で形成する。これにより、金属部材で形成した鍵本体４０の側面周囲を被覆しており、遊技機８０の金属部材と鍵本体４０との接触を防止している。
【００５５】
前記スライドカバー３０の上下左右には、前記ガイド溝１１（１１ａ，１１ｂ，１１ｃ，１１ｄ）に係合する前後方向に長い棒状のガイド突起３１（３１ａ，３１ｂ，３１ｃ，３１ｄ）を形成する。
【００５６】
平面に形成した前記ガイド突起３１ａの左右位置には、前記スライド係止片１３の突起部１３ａが係合する係止片係合穴３２，…を、左右対称に前後方向へ３つずつ配設する。  
底面に形成した前記ガイド突起３１ｃの左右位置には、前記係止片係合穴３２，…と上下対象に係止片係合穴３２，…（図示省略）を形成する。
【００５７】
前記スライドカバー３０の正面側には、上下方向に長い溝穴３３を、左右２つずつ上下に並べて計４つ形成する。
【００５８】
前記スライドカバー３０の内側には、前後方向中央部を板状部３７で遮蔽し、該板状部３７の中央に、連結軸２０を挿通可能な軸穴３４を形成する。該軸穴３４の背面側の下端には、軸外周体２３の抜止ガイド２３ａと係合して該軸外周体２３を抜け止めする抜止突起３５を形成する。また、上記板状部３７の上下位置には、鍵本体４０をねじ止め許容するねじ受け部３６，３６を形成する。
【００５９】
前記鍵本体４０は、該鍵本体４０をスライドカバー３０に対してねじ６１，６１で固着するためのねじ穴４０ａ，４０ａを、背面側の板状部に形成する。
【００６０】
前記化粧板６２は樹脂部材で形成し、スライドカバー３０に収納された鍵本体４０の正面を露出させて他を被覆するように、上板状体６２ａ及び下板状体６２ｂで構成する。
【００６１】
以上の構成により、前後方向の長さが可変な伸縮錠１を構成することができる。上述した各部品を組み合わせると、図３の斜視図、及び図４の側面断面図に示すように、収縮状態でガイドカバー１０に連結軸２０、スライドカバー３０、及び鍵本体４０が収納された状態となる。なお、図４の側面断面図は、図３の断面Ａでの断面図を示す。
【００６２】
ガイドカバー１０からスライドカバー３０を引き出して伸縮錠１を前後方向に伸張させると、図５の斜視図、及び図６の側面断面図に示すように伸張状態となる。
【００６３】
このとき、スライド係止片１３を適宜の係止片挿通穴１２に挿通して適宜の係止片係合穴３２に係合することで、伸縮錠１の前後長さを細かい単位（例えば２ｍｍ単位等）で調整し、固定（位置決め）することができる。
【００６４】
図５、図６は最大に伸張した状態を示しており、この状態では連結軸２０の抜止防止手段（抜止突起２１ｃ，抜止穴２２ａ，抜止突起２２ｄ，ガイド片２３ｃ）が機能している。
【００６５】
すなわち、軸芯体２１の抜止突起２１ｃが軸中間体２２の抜止穴２２ａに係合し、軸中間体２２の抜止突起２２ｄが軸外周体２３の抜止穴２３ｄに係合している。
【００６６】
また、軸外周体２３は抜止ガイド２３ａが抜止突起３５に係合してスライドカバー３０から抜け落ちないように抜け止めされており、軸芯体２１はスライド係止片１３で係止リング２１ａが係合され、ガイドカバー１０から抜け落ちないよう抜け止めされている。これにより、ガイドカバー１０とスライドカバー３０とが抜け落ちしないように連結軸２０で抜け止めしている。
【００６７】
軸外周体２３には抜取用平面部２３ｅを形成しているため、鍵（図示省略）を鍵本体４０に挿入して開閉シリンダ（後述する中間シリンダ４２及び内周シリンダ４３）を１８０度回転させると、連結軸２０が上下反対となる位置まで１８０度回転し、抜止突起３５が抜止ガイド２３ａから外れてスライドカバー３０をガイドカバー１０及び連結軸２０から取り外せる。
【００６８】
このように、収縮状態、伸張状態で使用することができるため、図７の取付説明図に示すように、多種の遊技機（図はパチスロ機）に対して伸縮錠１を取り付けることができる。
【００６９】
ここで、多種の遊技機に対して伸縮錠１を取り付けた場合の取付状態について、図７に示す取付状態説明図、及び図８に示す開錠施錠機構の説明図と共に説明する。
【００７０】
遊技機８０には、図７の（Ａ）の左側面断面図に示すように、正面の遊技面であるキャビネット８１を樹脂部材で形成しており、該キャビネットの背面側には金属製の竿８２を備えている。
【００７１】
該竿８２を介してねじ８３，８３をガイドカバー１０のねじ穴１４，１４（図２）に螺着することで、伸縮錠１を竿８２に固定することができる。
【００７２】
キャビネット８１には鍵を挿通可能にする鍵用穴８１ａを形成するだけで、長さ調整された伸縮錠１が適切な大きさで収納されることとなる。
【００７３】
（Ａ）はキャビネット８１と竿８２との間が狭いタイプの遊技機８０で説明したが、キャビネット８１と竿８２の間が広いタイプの遊技機８０であれば、（Ｂ）に示すように伸縮錠１を伸張させた状態で竿８２に取り付け、鍵本体４０の正面が鍵用穴８１ａに係合するようにサイズ調整することで容易に適応させることができる。
【００７４】
伸縮錠１には、図８の背面からみた斜視図に示すように、連結軸２０の軸芯体２１の背面側端にカム体８４をねじ止めする。  
上記カム体８４は、側面にリセット用突起部８４ａと開錠施錠用突起部８４ｂとを形成した板状体で形成する。
【００７５】
伸縮錠１に挿入された鍵が中立位置（施錠して鍵を抜いた状態と同じ位置）からリセット方向（背面視反時計回り）へ回されると、上記カム体８４が背面視反時計回りに回転し、リセット用突起部８４ａがリセット操作板８６を下方へ移動させてリセット操作を行う。
【００７６】
伸縮錠１に挿入された鍵が中立位置から開錠方向（背面視時計回り）へ回されると、上記カム体８４が背面視時計回りに回転し、開錠施錠用突起部８４ｂが開錠施錠操作板８５を上方へ移動させて開錠操作を行う。
【００７７】
施錠については、上記開錠操作による開錠状態から、伸縮錠１に挿入されたままの鍵が施錠方向（背面視反時計回り）へ中立位置まで回されると、上記カム体８４が背面視反時計回りに回転し、開錠施錠用突起部８４ｂが開錠施錠操作板８５を下方へ移動させて元の位置に戻す施錠操作を行う。
【００７８】
このようにカム体８４は、遊技機８０の正面扉の開錠施錠操作と、遊技のリセット操作の２操作を、中立位置の左右いずれ側で回転されるかにより使い分けて実行可能に構成している。
【００７９】
なお、該構成は遊技機８０がパチスロ機の場合であり、パチンコ機の場合はリセット用突起部８４ａを遊技台開閉用突起部として使用すると良い。  
すなわち、開錠施錠用突起部８４ｂでパチンコ台に対して正面扉であるガラス扉の開錠施錠を許容し、遊技台開閉用突起部で木枠に対してパチンコ台全体の開錠施錠を許容することができる。
【００８０】
これにより、開錠施錠用突起部８４ｂではパチンコ台に対するガラス扉の開閉の可否を、遊技台開閉用突起部では木枠に対するパチンコ台全体の開閉の可否を、それぞれの施錠開錠で制限することができる。
【００８１】
また、前記遊技機８０は、各装置に電力を供給する電源装置、メダル等の媒体の投入を受け付けて投入枚数のカウント等を実行する媒体処理装置、遊技開始指示の入力や回転する遊技ドラムの停止指示の入力を許容する入力装置、上記遊技ドラムを回転させるドラム駆動装置、遊技方法等の適宜の画像を表示する表示装置、遊技に基づいて発光するＬＥＤ等の発光装置、遊技に基づいて音声を発音する音源装置、及び、これらを制御して遊技処理を実行するＣＰＵ等の制御装置を備えて構成することは周知のとおりである。
【００８２】
次に、図９に示す鍵本体説明図と共に、鍵本体４０の内部構成について説明する。  
図９の（Ｃ）は鍵本体４０の右側面断面図を示し、該鍵本体４０は、外周シリンダ４１、中間シリンダ４２、内周シリンダ４３、ロック機構４４ａ、鍵調整機構４４ｂ、設定変更機構４５で構成する。
【００８３】
上記外周シリンダ４１は、円筒形の空洞を内部に形成して外周カバーとして機能し、金属部材で形成する。
【００８４】
該外周シリンダ４１には、上記空洞の上部に内周側から上方に形成した非貫通のポケット穴４１ａを前後方向に５つ形成する。また、上記空洞の下部には、前記ポケット穴４１ａの正面側４つと対向させ、上下対象位置に内周側から下方に形成した非貫通のポケット穴４１ｂを前後方向に４つ形成する。
【００８５】
前記ポケット穴４１ａの最背面側の１つは、ポケット穴４１ａの中央位置から背面側へ形成したスイッチ用穴４７と接続する。
【００８６】
前記中間シリンダ４２は、正面開放で背面を遮蔽した円筒形状で背面側にボス５２を突出させて形成する。該ボス５２は、背面側の上面及び下面を平行に切り落とした係合面５２ａ，５２ａを形成し、該係合面５２ａに連結軸２０の嵌合突起２３ｂが係合して連結軸２０を連れ回す構成とする。
【００８７】
該中間シリンダ４２の円筒形状部の上部には、前記ポケット穴４１ａと対向させて上下方向に貫通させたポケット穴４２ａを前後方向に５つ形成する。また、円筒形上部の下部には、上記外周シリンダ４１のポケット穴４２ａに対向させ、上下方向に貫通させたポケット穴４２ｂを前後方向に４つ形成する。
【００８８】
前記内周シリンダ４３は、両端開放の円筒形状に形成し、上部には、前記ポケット穴４２ａと対向させて上下方向のポケット穴４３ａを前後方向に５つ形成する。該ポケット穴４３ａのうち正面側の４つは、上下方向に貫通させて、内周面側の開口半径を小さく形成し、背面側の１つは、貫通しない外周側の穴で形成する。
【００８９】
前記ロック機構４４ａは、（Ｄ）の一部抜粋図に示すように、外周側からバネ（付勢手段）５３、ベース体５４、開閉制御ブロック５５、設定用スペーサ５６、及び突出ピン５７をこの順でそれぞれ当接させて構成する。
【００９０】
前記鍵調整機構４４ｂは、設定用スペーサ５６、ベース体５８、及びバネ（付勢手段）５９をこの順でそれぞれ当接させて構成する。
【００９１】
前記設定変更機構４５には、下方へ順に支持体４８、切替ブロック４９、ベース体５０、バネ（付勢手段）５１をそれぞれ当接して構成する。
【００９２】
以上の構成により、様々な鍵山に設定された多様な鍵に対応させて伸縮錠１を設定し、設定後は設定変更するまでその鍵に対して施錠開錠を許容する可変錠とすることができる。
【００９３】
詳述すると、設定された鍵が鍵穴に挿入されると、ベース体５４と開閉制御ブロック５５の当接面が枢動面Ｘと同一面上に４つとも並ぶ。また、設定変更スイッチ４６も押下されていないため、支持体４８と切替ブロック４９の当接面も枢動面Ｘと同一面上に並び、切替ブロック４９とベース体５０の当接面は枢動面Ｘ，Ｙのいずれの面にも並ばない。
【００９４】
この状態で鍵を回すと枢動面Ｘで枢動するようにして中間シリンダ４２及び内周シリンダ４３が一体化して回転する。  
従って、ボス５２も回転して開錠施錠操作を行うことができる。
【００９５】
また同様に、設定された鍵が鍵穴に挿入されたとき、開閉制御ブロック５５と設定用スペーサ５６の当接面、若しくは、開閉制御ブロック５５と突出ピン５７の当接面は、枢動面Ｙと同一面上に４つとも並ぶ。
【００９６】
ここで設定変更スイッチ４６が下方へ押下されると、切替ブロック４９とベース体５０の当接面が枢動面Ｙと同一面上に並び、支持体４８と切替ブロック４９の当接面は枢動面Ｘ，Ｙのいずれの面にも並ばない。
【００９７】
この状態で鍵を回すと、中間シリンダ４２は支持体４８で係止され、内周シリンダ４３が枢動面Ｙで枢動するようにして回転する。１８０度回転させると、内周シリンダ４３のポケット穴４３ａが中間シリンダ４２のポケット穴４２ｂと連結する。
【００９８】
ここで、ベース体５８の上方には、対応する５つの設定用スペーサ５６全てが順に当接され、さらに該設定用スペーサ５６の上方に突出ピン５７が当接された状態となる。
【００９９】
この状態で、鍵を一旦抜き出して遊技場で使用予定の鍵を挿入すると、突出ピン５７、設定用スペーサ５６、及びベース体５８が対応位置の鍵山の高さに合わせて下方へ押し込まれる。ここで、鍵を元の通常位置（施錠位置）まで回転させると、鍵山の高さにあった数の設定用スペーサ５６が上方へ運ばれ、開閉制御ブロック５５に当接してロック機構４４ａ内に収納される。
【０１００】
この後は、新しく設定した鍵で開錠施錠が行えるようになり、古い鍵は合わないようになる。  
このようにして、遊技場で導入する遊技機の機種やメーカが異なっても、錠前として伸縮錠１が取り付けられていれば使用する鍵を統一することができ、便利に利用することができる。
【０１０１】
以上に説明したように伸縮錠１を構成することで、遊技場の係員は多数の鍵を管理するわずらわしさから開放され、また該伸縮錠１を多種多様な遊技機に対して容易に取り付けることが可能となる。
【０１０２】
従って、可変錠である鍵本体４０を使用した遊技機の増加を図り、遊技場の利便性向上をより現実的にすることができる。
【０１０３】
また、ガイドカバー１０、連結軸２０、スライドカバー３０、及び化粧板６２を絶縁部材である樹脂部材で形成しているため、伸縮錠１全体が鍵穴近傍を除いて樹脂部材で覆われていることとなる。これにより、遊技場の係員が帯電した状態で施錠や開錠を行っても、金属製の鍵を介して遊技機８０内部へ静電気が流れることを伸縮錠１の樹脂部材で防止することができ、遊技機８０の稼動の安定性を確保することができる。
【０１０４】
なお、この効果は金属部材で形成された竿８２に接触するガイドカバー１０を樹脂部材で形成したことによるところが大きく、特に、ガイドカバー１０の竿８２との接触面を樹脂部材で形成していることによるところが大きい。
【０１０５】
次に、第２の実施形態について、図１０に示す取付状態説明図と共に説明する。  
この実施形態では、先の実施形態で説明した伸縮錠１をそのまま使用し、スライド係止片１３を使用せずに固定する。
【０１０６】
すなわち、（Ｅ）の右側面断面図に示すように、平面視コ字型となるように正面側に位置決め突起９１，９１、背面側に固定用折り曲げ部９２を形成した位置決め板９０を使用する。
【０１０７】
該位置決め板９０は、固定用折り曲げ部９２を竿８２にねじ９３，９３でねじ止めし、位置決め突起９１を、スライドカバー３０の溝穴３３，３３に挿着する。これにより、図７で説明したようにねじ８３で竿８２に羅着したガイドカバー１０に対し、スライドカバー３０が不安定に伸縮しないように位置決めする。
【０１０８】
図１０の（Ｅ）は、伸縮錠１の前後長さを最も小さく取り付けた例を示し、（Ｆ）は、伸縮錠１の前後長さを最も大きく取り付けた例を示す。
【０１０９】
その他の構成は、先の実施形態と同一であるので、同一の構成要素に同一符号を付して詳細な説明を省略する。
【０１１０】
以上の構成により、溝穴３３は位置決め手段として機能し、小さな部品であるスライド係止片１３を使用せずとも伸縮錠１の前後長さを位置決めする事ができる。
【０１１１】
なお、この実施形態では、ガイドカバー１０の係止片挿通穴１２、及びスライドカバー３０の係止片係合穴３２は使用しないため、これらを省略して形成しても良い。
【０１１２】
また、上記各実施形態のスライド係止片１３や位置決め板９０を使用せず、スライドカバー３０を遊技機８０のキャビネット８１に固定するように構成しても良い。この構成によっても、伸縮錠１の前後方向の長さが固定され、安定して開錠施錠操作を行うことができる。
【０１１３】
また、鍵本体４０には使用可能な鍵の設定変更が可能な可変錠を使用したが、通常のレバータンブラー錠（棒鍵錠）やピンタンブラー錠（シリンダー錠）等、他のタイプの錠で構成しても良い。これにより、様々な錠を遊技機８０やドア等の施錠が必要な物に、容易に装着することが可能となる。
【０１１４】
この発明の構成と、上述の実施形態との対応において、
この発明の錠前は、実施形態の伸縮錠１に対応し、
以下同様に、
ガイド体は、ガイドカバー１０に対応し、
位置決め手段は、スライド係止片１３又は位置決め板９０に対応し、
取付部は、ねじ穴１４に対応し、
錠前用内周回転体連結軸及び本体部は、連結軸２０に対応し、
装着部は、嵌合突起２３ｂに対応し、
外筒体は、外周シリンダ４１に対応し、
内周回転体は、中間シリンダ４２及び内周シリンダ４３に対応し、
開錠施錠許容手段は、ロック機構４４ａに対応し、
取付対象は、遊技機８０の竿８２に対応し、
２操作カム体は、カム体８４に対応するも、
この発明は、上述の実施形態の構成のみに限定されるものではなく、多くの実施の形態を得ることができる。
【図面の簡単な説明】
【０１１５】
【図１】伸縮錠を正面から見た分解斜視図。
【図２】伸縮錠を背面から見た分解斜視図。
【図３】収縮状態の伸縮錠の斜視図。
【図４】収縮状態の伸縮錠の側面断面図。
【図５】伸張状態の伸縮錠の斜視図。
【図６】伸張状態の伸縮錠の側面断面図。
【図７】伸縮錠を遊技機の竿に取り付けた状態の説明図。
【図８】遊技機の竿に取り付けた伸縮錠を背面から見た斜視図。
【図９】鍵本体の内部構成を説明する説明図。
【図１０】第２実施例の伸縮錠を遊技機の竿に取り付けた状態の説明図。
【符号の説明】
【０１１６】
１…伸縮錠
１０…ガイドカバー
１３…スライド係止片
１４…ねじ穴
２０…連結軸
２３ｂ…嵌合突起
４１…外周シリンダ
４２…中間シリンダ
４３…内周シリンダ
４４ａ…ロック機構
８０…遊技機
８２…竿
８４…カム体
９０…位置決め板
【図１】
2005040414.tif 000003
【図２】
2005040414.tif 000004
【図３】
2005040414.tif 000005
【図４】
2005040414.tif 000006
【図５】
2005040414.tif 000007
【図６】
2005040414.tif 000008
【図７】
2005040414.tif 000009
【図８】
2005040414.tif 000010
【図９】
2005040414.tif 000011
【図１０】
2005040414.tif 000012